(57)【要約】  本発明は、マッサージ機能があるマスク及びこれを含むマスクシステムに関するものである。本発明に係るマッサージ機能があるマスクは、マスク本体と、前記マスク本体に結合されているマッサージユニットとを備え、前記マッサージユニットは、マッサージパッドと、前記マッサージパッドがユーザの皮膚を加圧しつつ一方向に移動するようにさせるパッド駆動部とを備える。
2019535400.tif 000002
【特許請求の範囲】
【請求項１】
マッサージ機能があるマスクにおいて、
マスク本体と、
前記マスク本体に結合されているマッサージユニットと、
を備え、
前記マッサージユニットは、
マッサージパッドと、
前記マッサージパッドがユーザの皮膚を加圧しつつ一方向に移動するようにさせるパッド駆動部と、
を備えるマスク。
【請求項２】
前記マッサージパッドは、ユーザの皮膚と直接接触しつつ一方向に移動することを特徴とする請求項１に記載のマスク。
【請求項３】
前記パッド駆動部は、
前記マッサージパッドを無限軌道方式で移動させることを特徴とする請求項１に記載のマスク。
【請求項４】
前記パッド駆動部は、
前記マッサージパッドを装着するベルトと、
前記ベルトと連結されているローラと、
前記ローラを回転させるモータと、
を備えることを特徴とする請求項３に記載のマスク。
【請求項５】
前記マッサージユニットは、
前記マッサージパッドに化粧品を供給する化粧品供給部をさらに備えることを特徴とする請求項１〜４のいずれか１項に記載のマスク。
【請求項６】
前記化粧品供給部は、
多孔性材質を含んでなっており、
前記化粧品は、
前記マッサージパッドと前記化粧品供給部の接触により前記化粧品供給部から流出されて前記マッサージパッドに移動することを特徴とする請求項５に記載のマスク。
【請求項７】
外部から化粧品を供給される化粧品チャネルをさらに備え、
前記化粧品供給部は、前記化粧品チャネルを介して前記化粧品を供給されることを特徴とする請求項６に記載のマスク。
【請求項８】
前記マッサージユニットは、ユーザの皮膚に光を照射するＬＥＤをさらに備えることを特徴とする請求項５に記載のマスク。
【請求項９】
前記マッサージパッドは、顔の中心から顔の周辺方向へ皮膚をマッサージすることを特徴とする請求項５に記載のマスク。
【請求項１０】
前記マスク本体に貼り付けられており、
ユーザの顔に前記マスク本体を密着維持させる固定部をさらに備えることを特徴とする請求項５に記載のマスク。
【請求項１１】
マッサージ機能があるマスクシステムにおいて、
マスクと、
化粧品が収容されている化粧品容器と、
前記マスクに前記化粧品容器に収容されている前記化粧品を供給するポンプと、
を備え、
前記マスクは、
マスク本体と、
前記マスク本体に結合されているマッサージユニットと、
前記マスクユニットに前記化粧品を供給する化粧品チャネルと、
を備え、
前記マッサージユニットは、ユーザの皮膚を加圧しつつ一方向に移動するマッサージパッドを備えるマスクシステム。
【発明の詳細な説明】
【技術分野】
【０００１】
本発明は、マッサージ機能があるマスクとこれを含むマスクシステムに関する。
【背景技術】
【０００２】
マスクは、ユーザの顔に貼り付けて皮膚を管理するのに使用され、効果を高めるために、各種機能性材料が使用され得る。
【０００３】
既存のマスクは、保湿のような化学的作用によって皮膚を管理したが、マッサージのような物理的作用がなかったため、ユーザがマスク使用の効果を直感的に感じることが難しかった。
【０００４】
特に、顔でシワがよくできる部分に対して、既存のマスクは別の機能がなかったし、ユーザが、特定部分の皮膚状態が改善されるという感じを持ち難かった。
【発明の概要】
【発明が解決しようとする課題】
【０００５】
したがって、本発明の目的は、マッサージ機能があるマスクとこれを含むマスクシステムを提供することにある。
【課題を解決するための手段】
【０００６】
上記本発明の目的は、マッサージ機能があるマスクにおいて、マスク本体と、前記マスク本体に結合されているマッサージユニットと、を備え、前記マッサージユニットは、マッサージパッドと、前記マッサージパッドがユーザの皮膚を加圧しつつ一方向に移動するようにさせるパッド駆動部と、を備えることにより達成される。
【０００７】
前記マッサージパッドは、ユーザの皮膚と直接接触しつつ一方向に移動することができる。
【０００８】
前記パッド駆動部は、前記マッサージパッドを無限軌道方式で移動させることができる。
【０００９】
前記パッド駆動部は、前記マッサージパッドを装着するベルトと、前記ベルトと連結されているローラと、前記ローラを回転させるモータと、を備えることができる。
【００１０】
前記マッサージユニットは、前記マッサージパッドに化粧品を供給する化粧品供給部をさらに備えることができる。
【００１１】
前記化粧品供給部は、多孔性材質を含んでなっており、前記化粧品は、前記マッサージパッドと前記化粧品供給部の接触により前記化粧品供給部から流出されて前記マッサージパッドに移動することができる。
【００１２】
外部から化粧品を供給される化粧品チャネルをさらに備え、前記化粧品供給部は、前記化粧品チャネルを介して前記化粧品を供給されることができる。
【００１３】
前記マッサージユニットは、ユーザの皮膚に光を照射するＬＥＤをさらに備えることができる。
【００１４】
前記マッサージパッドは、顔の中心から顔の周辺方向へ皮膚をマッサージすることができる。
【００１５】
前記マスク本体に貼り付けられており、ユーザの顔に前記マスク本体を密着維持させる固定部をさらに備えることができる。
【００１６】
上記本発明の目的は、マッサージ機能があるマスクシステムにおいて、マスクと、化粧品が収容されている化粧品容器と、前記マスクに前記化粧品容器に収容されている前記化粧品を供給するポンプと、を備え、前記マスクは、マスク本体と、前記マスク本体に結合されているマッサージユニットと、前記マスクユニットに前記化粧品を供給する化粧品チャネルと、を備え、前記マッサージユニットは、ユーザの皮膚を加圧しつつ一方向に移動するマッサージパッドを備えることにより達成される。
【発明の効果】
【００１７】
本発明によれば、マッサージ機能があるマスクとこれを含むマスクシステムが提供される。
【図面の簡単な説明】
【００１８】
【図１】本発明の第１実施形態に係るマスクシステムの構成を示したものである。
【図２】本発明の第１実施形態に係るマスクの側面図である。
【図３】本発明の第１実施形態に係るマスクの正面図である。
【図４】本発明の第１実施形態に係るマスクの背面図である。
【図５】本発明の第１実施形態に係るマッサージユニットの斜視図である。
【図６】図５のＶＩ−ＶＩ´に沿った断面図である。
【図７】本発明の第１実施形態に係る化粧料チャネルを示したものである。
【図８】本発明の第１実施形態に係るマッサージシステムのマッサージ機能を説明するためのものである。
【図９】本発明の第１実施形態に係るマスクシステムにおいてマッサージ方向を示したものである。
【図１０】本発明の第２実施形態に係るマッサージユニットを示したものである。
【図１１】本発明の第３実施形態に係るマッサージユニットを示したものである。
【図１２】本発明の第４実施形態に係るマッサージユニットを示したものである。
【図１３】本発明の第５実施形態に係るマッサージユニットを示したものである。
【発明を実施するための形態】
【００１９】
以下、図面を参照して本発明をより詳細に説明する。
【００２０】
添付された図面は、本発明の技術的思想をより具体的に説明するために示した一例に過ぎないので、本発明の思想が添付された図面に限定されるものではない。また、添付された図面は、各構成要素間の関係を説明するために、大きさと間隔などが実際とは異なり、誇張されていることができる。
【００２１】
図１〜図７を参照して本発明の第１実施形態に係るマスクシステムを説明する。
【００２２】
図１は、本発明の第１実施形態に係るマスクシステムの構成を示したものであり、図２は、本発明の第１実施形態に係るマスクの側面図であり、図３は、本発明の第１実施形態に係るマスクの正面図であり、図４は、本発明の第１実施形態に係るマスクの背面図であり、図５は、本発明の第１実施形態に係るマッサージユニットの斜視図であり、図６は、図５のＶＩ−ＶＩ´に沿った断面図であり、図７は、本発明の第１実施形態に係る化粧料チャネルを示したものである。
【００２３】
マスクシステム１は、マスク１０、ポンプ２０、化粧品容器３０、電源供給部４０、及び制御部５０を備える。
【００２４】
マスク１０は、ポンプ２０を介して化粧品容器３０から化粧品を供給され、電源供給部４０は、マスク１０とポンプ４０とに電源を供給する。制御部５０は、電源供給部４０を制御して、マッサージオンオフ、マッサージ強度、マッサージ時間、化粧料供給時間、及び／又は化粧料供給量などを調節する。
【００２５】
マスク１０は、マスク本体１１、固定部１２、化粧品チャネル１３、マッサージユニット１４、及び外部連結部１５を備える。
【００２６】
マスク本体１１は、通常のマスクより厚く設けられている。マスク本体１１の厚さは、これに限定されないが、最も厚い部分が０．５ｃｍ〜５ｃｍ、０．５ｃｍ〜４ｃｍ、１ｃｍ〜３ｃｍでありうる。マスク本体１１には、目、鼻、口に対応する開口部１１１が形成されている。
【００２７】
他の実施形態においてマスク本体１１は、２個の層からなることができ、この場合、内部に位置した層がマッサージユニット１４を支持していることがある。また、マスク本体１１の内部の一部は空いていることがある。
【００２８】
マスク本体１１は、プラスチック材質、シリコン材質などで作られることができる。
【００２９】
固定部１２は、マスク本体１１の側面に連結されており、マスク本体１１の内面をユーザに密着固定させる役割をする。固定部１２は、マスク本体１１の内面をユーザに密着固定させることができるならば、様々に変形可能である。
【００３０】
化粧品チャネル１３は、外部連結部１５と連通されており、外部連結部１５から供給される化粧品を各マッサージユニット１４に伝達する。化粧品チャネル１３は、チューブを含んでなることができる。
【００３１】
外部連結部１５は、ポンプ２０を介して化粧品容器３０と連結されて、化粧品容器３０内の化粧品を化粧品チャネル１３に供給する。外部連結部１５は、ワンタッチ方式などによってポンプ２０ないし化粧品容器３０と連結されることができる。
【００３２】
マッサージユニット１４は、複数個で設けられており、これに限定されないが、ユーザの頬、額、及び顎に対応するように配置されることができる。マッサージユニット１４を収容するために、マスク本体１１には収容部が形成されている。
【００３３】
マッサージユニット１４は、ケース１４１、マッサージパッド１４２、パッド駆動部１４３、ＬＥＤ１４５、及びＬＥＤ支持部１４６を備える。
【００３４】
ケース１４１は、上部が開放された四角い箱状である。ケース１４１の内部は化粧品チャネル１３と連結されている。ケース１４１は、これに限定されないが、プラスチックで作られることができる。
【００３５】
マッサージパッド１４２は、皮膚を加圧してマッサージを行う。マッサージパッド１４２は、直接皮膚に接触してマッサージを行うか、皮膚とマッサージパッド１４２との間にフィルムのような別の部材をおいてマッサージを行うことができる。
【００３６】
マッサージパッド１４２は、軟らかいが、一定の強度を有した材質で設けられることができ、これに限定されないが、シリコンゴム材質からなることができる。また、マッサージパッド１４２は、透明な材質で作られることができる。マッサージパッド１４２は、ケース１４１より外部に、すなわち、ユーザの顔に向けて突出されている。
【００３７】
マッサージパッド１４２は、四角い板状で設けられており、各マッサージユニット１４に５個が使用されている。他の実施形態において、マッサージパッド１４２は、円形、四角形以外の多角形、楕円形などでありうるし、表面には、突起などのパターンが形成されていることがある。また、マッサージユニット１４当たりのマッサージパッド１４２の個数も様々に変化することができる。
【００３８】
マッサージパッド１４２は、パッド駆動部１４３により無限軌道方式にて一方向へ移動する。したがって、各マッサージパッド１４２は、皮膚を加圧する位置と皮膚を加圧しない位置とを繰り返して移動し、皮膚を加圧する位置では、一定の一方向にのみ移動するようになる。
【００３９】
パッド駆動部１４３は、ローラ１４３ａ、ベルト１４３ｂ、及びモータ１４３ｃを備える。ローラ１４３ａは、一対としてベルト１４３ｂの両端に各々位置する。ローラ１４３ａのうちの１つはモータ１４３ｃにより回転する。モータ１４３ｃは、電源チャネル（図示せず）を介して電源供給部４０から電源を供給される。モータ１４３ｃの位置及び形式などは様々に変化することができる。ベルト１４３ｂには、マッサージパッド１４２が装着されており、ローラ１４３ａの回転により移動しつつ、マッサージパッド１４２を一方向へ移動させる。ベルト１４３ｂは、紐状で設けられているが、他の実施形態においてベルト１４３ｂは、幅が広い帯状で設けられることができる。
【００４０】
化粧品チャネル１３と連結されたケース１４１の一側面の内面と下面には化粧品供給部１４４が位置している。化粧品供給部１４４は、化粧品チャネル１３を介して外部から化粧品を供給され、供給される化粧品をマッサージパッド１４２に伝達する。
【００４１】
本実施形態において化粧品供給部１４４は、多孔性物質、例えば、発泡フォームで設けられる。発泡フォームは、これに限定されないが、湿式ウレタン、乾式ウレタン、ポリエーテル、ポリエステル、ポリエチレン、シリコン、天然ゴム、ニトリルゴム、またはポリビニールアルコールの材質を含むことができ、天然多孔性材質を使用することもできる。
【００４２】
化粧品供給部１４４を介して供給される化粧品は、クレンジング剤、保湿剤、栄養剤などでありうる。
【００４３】
ローラ１４３ａ間のベルト１４３ｂ内部の空間にはＬＥＤ支持部１４６が位置し、ＬＥＤ支持部１４６の上面にはＬＥＤ１４５が装着されている。ＬＥＤ１４５は、電源チャネル（図示せず）を介して電源供給部４０から電源を供給される。
【００４４】
ＬＥＤ１４５は、ユーザの皮膚に赤外線などを加えて温度を上昇させてマッサージ効果を向上させることができる。これに限定されないが、または、ＬＥＤ１４５は、シワ除去とニキビ治療に効果があると知られた６００ｎｍ〜１４００ｎｍ波長範囲の光または免疫力増加やコラーゲン生成刺激に効果があると知られた１４００ｎｍ〜３０００ｎｍ波長範囲の光を皮膚に加えることができる。また、互いに異なる波長のＬＥＤ１４５を設け、ユーザが必要に応じて選択するようにさせることもできる。
【００４５】
ＬＥＤ１４５の設置位置は様々に変化することができ、マッサージユニット１４と別にマスク本体１１に設けられることもできる。
【００４６】
化粧品容器３０は、化粧品を収容しており、様々な形態を有することができる。化粧品容器３０は、互いに異なる化粧品を収容している複数個で設けられて、ユーザの必要に応じて選択して使用することもできる。
【００４７】
電源供給部４０は、様々な形態で設けられることができる。これに限定されないが、外部電源と連結されて電源を供給する形態、交換可能な内部バッテリを用いて電源を供給する形態、または外部電源と連結されて充電可能な内部バッテリを用いて電源を供給する形態でありうる。
【００４８】
制御部５０は、ポンプ２０のオン／オフ、流量、及び／又は作動時間を制御できる。また、制御部５０は、マッサージユニット１４のマッサージ強度及び／又はマッサージ時間を制御でき、ＬＥＤ１４５の作動時間及び／又は強度を制御できる。
【００４９】
制御部５０は、ユーザが使用しやすいインターフェースを揃えることができ、有線または無線方式で制御することができる。制御部５０は、リモコンのような形態で設けられることもできる。
【００５０】
以上において図示してはいないが、マスク１０は、電源供給部４０の電源を各マッサージユニット１４に供給する電源チャネルをさらに備える。
【００５１】
以上で説明したマスクシステム１のマッサージ機能を、図８を参照して説明する。
【００５２】
ユーザは、外部連結部１５に化粧品容器３０を連結し、マスク１０を顔に着用及び固定する。その後、制御部５０を介して化粧品供給とマッサージユニットとが１４作動を始める。
【００５３】
マッサージユニット１４のパッド駆動部１４３の作動によりマッサージパッド１４２は、無限軌道方式で一方向へ移動しながら皮膚をマッサージする。このとき、マッサージ方向は、顔の中心から周辺に向ける方向でありうる。
【００５４】
マッサージパッド１４２がローラ１４３ａ間を通るときは、ＬＥＤ支持部１４６と接触して支持されながら皮膚に対する加圧力を維持する。
【００５５】
ＬＥＤ１４５も作動されて、ユーザの皮膚に赤外線などを照射してマッサージ効果を向上させる。マッサージパッド１４２が光透過性で作られた場合、ＬＥＤ１４５の効率はさらに向上する。
【００５６】
一方、化粧品チャネル１３を介して供給された化粧品は、化粧品供給部１４４に保存される。化粧品供給部１４４に保存された化粧品は、マッサージパッド１４２が回転して化粧品供給部１４４と密着されるとき、化粧品供給部１４４から排出されてマッサージパッド１４２に供給される。
【００５７】
これにより、マッサージパッド１４２の表面に化粧品が供給され、マッサージパッド１４２と皮膚が接触するとき、化粧品が皮膚に再度伝達されながらマッサージがなされる。
【００５８】
図９は、本発明の第１実施形態に係るマスクシステムにおいてマッサージ方向を示したものである。
【００５９】
各マッサージユニット１４で行われるマッサージ方向、すなわち、マッサージパッド１４２の移動方向は、皮膚と接触したマッサージパッド１４２が顔の中心から顔の周辺へ移動する方向である。これにより、顔のシワが伸びる方式でマッサージがなされる。
【００６０】
以上で説明した本実施形態によれば、マスクを介して物理的なマッサージを受けることができるので、ユーザの満足感が高まる。化粧品を供給しながら使用すれば、既存のマスク使用効果を得ることができ、ＬＥＤ光による効果も共に得ることができる。また、顔のシワができやすい所にマッサージパッド１４２を配置すれば、ユーザにしてシワが改善される点を直観的に感じるようにすることができる。
【００６１】
マッサージユニット１４の配置は、様々に変化することができ、位置によってマッサージユニット１４の大きさも変わることができる。
【００６２】
図１０〜図１３は、各々本発明の第２実施形態ないし第５実施形態に係るマッサージユニットを示したものである。
【００６３】
図１０の第２実施形態では、マッサージパッド１４２とベルト１４３ｂとが一体に形成されている。また、ベルト１４３ｂは、線（紐）形態でない、綿（帯）形態でありうる。
【００６４】
図１１の第３実施形態では、ＬＥＤ支持部１４６とＬＥＤ１４５が設けられず、ローラ１４３ａが４個設けられて、マッサージ過程でマッサージパッド１４２を支持する。第３実施形態においてＬＥＤ１４５は、マッサージユニット１４と別に設けられることができる。
【００６５】
図１２の第４実施形態では、ケース１４１の下部面に化粧品チャネル１３が連結されており、化粧品供給部１４４は、ケース１４１の下部面にのみ位置している。他の実施形態では、化粧品供給部１４４は、シート状でない、突出状で設けられることもできる。
【００６６】
図１３の第５実施形態では、マッサージパッド１４２が移動方向の反対方向へ行くほど厚さが厚くなる。第５実施形態によれば、ユーザは、マッサージ効果を一層明らかに感じることができるようになる。
【００６７】
前述した実施形態等は、本発明を説明するための例示であって、本発明がこれに限定されるものではない。本発明の属する技術分野における通常の知識を有する者であれば、これから様々に変形して本発明を実施することが可能であろうから、本発明の技術的保護範囲は、添付された特許請求の範囲により決められるべきであろう。
【符号の説明】
【００６８】
１  ・・・マスクシステム
１０  ・・・マスク
１１  ・・・マスク本体
１２  ・・・固定部
１３  ・・・化粧品チャネル
１４  ・・・マッサージユニット
１４１  ・・・ケース
１４２  ・・・マッサージパッド
１４３  ・・・パッド駆動部
１４３ａ  ・・・ローラ
１４３ｂ  ・・・ベルト
１４３ｃ  ・・・モータ
１４４  ・・・化粧品供給部
１４５  ・・・ＬＥＤ
１４６  ・・・ＬＥＤ支持部
１５  ・・・外部連結部
２０  ・・・ポンプ
３０  ・・・化粧品容器
４０  ・・・電源供給部
５０  ・・・制御部
【図１】
2019535400.tif 000003
【図２】
2019535400.tif 000004
【図３】
2019535400.tif 000005
【図４】
2019535400.tif 000006
【図５】
2019535400.tif 000007
【図６】
2019535400.tif 000008
【図７】
2019535400.tif 000009
【図８】
2019535400.tif 000010
【図９】
2019535400.tif 000011
【図１０】
2019535400.tif 000012
【図１１】
2019535400.tif 000013
【図１２】
2019535400.tif 000014
【図１３】
2019535400.tif 000015
【国際調査報告】
2019535400.tif 000016
2019535400.tif 000017
2019535400.tif 000018
2019535400.tif 000019
2019535400.tif 000020
2019535400.tif 000021